(57)【特許請求の範囲】
【請求項１】
胚性網膜幹細胞と、遺伝子導入がされていない虹彩色素上皮細胞とを共培養し、虹彩色素上皮細胞から網膜神経細胞を分化誘導することを特徴とする網膜神経細胞の生産方法。
【請求項２】
上記虹彩色素上皮細胞は、哺乳類由来であることを特徴とする請求項１記載の網膜神経細胞の生産方法。
【請求項３】
上記胚性網膜幹細胞は、鳥類由来であることを特徴とする請求項１または２記載の網膜神経細胞の生産方法。
【請求項４】
上記虹彩色素上皮細胞は、胎児から成体に至るまでのいずれの哺乳類由来であってもよいことを特徴とする請求項１ないし３の何れか１項に記載の網膜神経細胞の生産方法。
【請求項５】
上記虹彩色素上皮細胞は、眼球から単離された後に、浮遊凝集塊培養方法によって選択的に培養されたものであることを特徴とする請求項１ないし４の何れか１項に記載の網膜神経細胞の生産方法。
【発明の詳細な説明】
【技術分野】
【０００１】  本発明は、哺乳類や鳥類の虹彩組織由来の神経幹細胞から分化誘導によって網膜神経細胞を生産する方法、および、その方法により得られる網膜神経細胞に関するものである。
【背景技術】
【０００２】  近年、脳、脊髄における神経幹細胞の存在が認められ、またＥＳ細胞が特定の中枢神経系細胞へ分化することが報告されており、中枢神経系再生医療への期待が高まっている。また、神経幹細胞の分離および選択的培養方法として、ｎｅｕｒｏｓｐｈｅｒｅ法（浮遊凝集塊培養法）が確立されている。さらに、上記浮遊凝集塊培養法によって神経幹細胞が形成するｓｐｈｅｒｅ（凝集塊）を、接着培養法にて培養することによって、神経幹細胞を神経系細胞に分化誘導する神経幹細胞の分化誘導法も報告されている。【０００３】  また、脳、脊髄由来の神経幹細胞またはＥＳ細胞を生体内へ移植することにより、その移植した細胞が環境に適応して特異的な神経細胞へと分化することが報告されている（非特許文献１：Ｎａｔｕｒｅ  ４１４、１１２−１１７、ｒｅｖｉｅｗ、２００１年：参照）。【０００４】  ところで、哺乳動物においては、網膜神経細胞が一旦変性すると、再生することができず、機能の低下を招く。その上、網膜変性疾患などで視細胞が変性すると、失明に至る場合もある。現在、このような難病については有効な治療法は存在しない。そこで、上述のような神経幹細胞の分化誘導を利用して網膜神経細胞を生産することができれば、極めて有効な再生医療が実現することになる。【０００５】  上記の網膜神経細胞の分化誘導に用いられる神経幹細胞として、これまでに、毛様体上皮細胞と網膜色素上皮細胞を用いたものが報告されている。網膜色素上皮細胞および毛様体上皮細胞はともに、神経板に由来するものであり、網膜色素上皮細胞は、複数の細胞層から構築された網膜の最も外側の細胞層である受容器層を被っている。毛様体上皮は、虹彩と網膜との中間的位置に存在する組織である。【０００６】  例えば、非特許文献２：Ｓｃｉｅｎｃｅ  ２８７、２０３２−２０３５頁、２０００年：には、毛様体上皮細胞を浮遊凝集塊培養法により培養することによってｓｐｈｅｒｅ（凝集塊）を形成し、さらにその凝集塊を接着培養法によって培養することで、分化を誘導する方法が報告されている。非特許文献３：Ｂｉｏｃｈｅｍ．ａｎｄ  Ｂｉｏｐｈｙｓ．Ｒｅｓ．Ｃｏｍｍｕｎ．２７０、５１７−５２１頁、２０００年：にも、毛様体上皮細胞から網膜神経細胞を分化誘導できる可能性が報告されている。【０００７】  また、非特許文献４：Ｂｒａｉｎ  Ｒｅｓ．６７７（２）、３００−３１０、１９９５年：には、胎児期の限られた時期ではあるものの、哺乳動物の網膜色素上皮細胞が、神経細胞への分化転換能を有することが培養下の実験によって報告されている。なお、非特許文献５：ＤＮＡ  Ｃｅｌｌ  Ｂｉｏｌ  １２（８）、６６７−６７３頁、１９９３年：にも、網膜色素上皮細胞から網膜神経細胞を分化誘導できる可能性が報告されている。【０００８】  脳、脊髄由来の神経幹細胞やＥＳ細胞を再生医療へ応用しようとする場合、細胞移植による免疫拒絶の問題、倫理的問題、移植材料である移植細胞源の受容と供給のアンバランスなどといった多くの問題が生じる。そこで、移植対象となる個体自身に由来する細胞を中枢神経系再生のための材料として用いることが可能となれば、自家移植が可能となり、上述の問題を解決することができる。【０００９】  しかしながら、医療への応用を考えた場合、患者本人の毛様体上皮細胞を得ることは非常に困難であるため、毛様体上皮細胞を中枢神経系再生のための材料として用いることは現実的ではない。【００１０】  また、非特許文献４では、比較的未分化な細胞が各組織に多く存在する哺乳類の胎児期の限られた時期の網膜色素上皮細胞のみが、神経細胞への分化転換能を有していることが記載されている。つまり、哺乳動物成体の各組織においては、比較的に未分化な細胞が存在することは稀であり、網膜色素上皮細胞についても、成体においては高度に分化しているため、細胞の分離・培養は困難である。よって、現在のところ、哺乳動物成体の網膜色素上皮細胞を中枢神経系再生のための材料として用いることは不可能である。【００１１】  また、非特許文献６：Ｂｉｏｃｈｅｍ．ａｎｄ  Ｂｉｏｐｈｙｓ．Ｒｅｓ．Ｃｏｍｍｕｎ．２９７、１７７−１８４頁、２００２年：には、ＥＳ細胞から網膜神経細胞を産生する方法について報告されているが、その効率は極めて低い。【００１２】  このような事情から、中枢神経系再生のための材料としての利用可能性が期待されている細胞の一つに、眼球の虹彩色素上皮細胞がある。虹彩色素上皮細胞とは、光量に応じて瞳孔を開いたり、狭めたりして網膜に届く光量を調節するための組織である虹彩を構築している細胞の一種である。虹彩色素上皮細胞の発生起源は、網膜色素上皮細胞および毛様体上皮細胞と同様に神経板に由来する。この虹彩色素上皮細胞は、患者本人からその細胞の一部を採取することが充分に可能であるため、自家移植可能な再生材料として有効利用できると考えられている。【００１３】  なお、虹彩色素上皮細胞は、組織が少なく細胞数も少なく、該虹彩色素上皮細胞の単離培養は困難とされてきたが、本願発明者は以前、ニワトリの雛の虹彩色素上皮細胞を単離培養することに成功したことを報告している（非特許文献７：Ｅｘｐｅｒｉｍｅｎｔａｌ  Ｃｅｌｌ  Ｒｅｓ．２４５、２４５−２５１頁、１９９８年：）。上記非特許文献７には、培養条件下の実験により、ニワトリの雛の虹彩色素上皮細胞がレンズへの分化転換能を有することが示されている。【００１４】  さらに、本願発明者は、上記非特許文献７の方法に改変を加えることによって、哺乳動物（マウス、ラット、ヒト胎児）の虹彩細胞の単離培養を可能とした（非特許文献８：Ｎａｔｕｒｅ  Ｎｅｕｒｏｓｃｉｅｎｃｅ  ４（１２）、１１６３頁、２００１年：参照）。【００１５】  上記非特許文献８においては、成体ラットの虹彩組織を単離し、初代培養したところ、一部の細胞が神経マーカーを発現することが確認されたが、特異に分化した神経マーカーは検出されなかった。そこで、網膜の視細胞を得るために、培養した虹彩細胞に、視細胞の発生時期に重要な働きをすることが示唆されているＣｒｘ遺伝子を強制発現させると、培養した虹彩細胞は、光受容機能に必須のロドプシンタンパク質を産生することが確認された。【００１６】  上記非特許文献８では、特異的遺伝子であるＣｒｘ遺伝子を強制発現させた場合についてのみ、視細胞への分化が誘導されている。しかしながら、医療への応用を考えた場合、遺伝子の強制発現による分化の誘導は、ＤＮＡ損傷などの危険を伴うため、好ましくない。【００１７】  したがって、虹彩組織に由来する神経幹細胞（虹彩色素上皮細胞）から網膜神経細胞を分化誘導することによって、再生医療に有効に利用できる網膜神経細胞を生産する方法は確立されていないのが現状である。【００１８】  虹彩色素上皮細胞は、上述のように、患者本人からその細胞の一部を採取することが可能であるので、もし、虹彩色素上皮細胞から分化誘導された網膜神経細胞が得られれば、患者自身の細胞を用いた再生医療が実現することになる。そして、現在有効な治療法が存在しない網膜変性疾患のための治療方法の確立に重要な貢献をもたらすものと期待される。【００１９】  本発明は、上記の問題点に鑑みてなされたものであって、再生医療に有効利用できる可能性を有する虹彩色素上皮細胞から、遺伝子導入を必要とせず網膜神経細胞を分化誘導することによって網膜神経細胞を生産する方法、および、その方法によって得られる網膜神経細胞を提供すること目的とする。
【発明の開示】
【００２０】  本願発明者は、上記課題について鋭意検討した結果、胚性網膜幹細胞と虹彩色素上皮細胞とを共培養するか、あるいは、虹彩色素上皮細胞を培地上で接着培養することによって、遺伝子導入を行うことなく虹彩色素上皮細胞から網膜神経細胞への分化が誘導されることを見出し、本発明を完成させるに至った。
【００２１】  本発明の網膜神経細胞の生産方法は、胚性網膜幹細胞と虹彩色素上皮細胞とを共培養し、虹彩色素上皮細胞から網膜神経細胞を分化誘導することを特徴としている。
【００２２】  本発明の網膜神経細胞の生産方法によれば、上記虹彩色素上皮細胞を胚性網膜幹細胞と共培養することによって、従来技術（非特許文献８参照）のように遺伝子の導入を行うことなく、網膜神経細胞へ分化誘導することができる。そのため、本発明の生産方法によって得られた網膜神経細胞を再生医療の材料として使用する場合にも、ＤＮＡ損傷などといった危険を伴うことがなく、再生医療に有効利用できる可能性を有している。
【００２３】  また、上記虹彩色素上皮細胞は、上述のように、患者本人からその細胞の一部を採取することが可能であるので、患者由来の虹彩色素上皮細胞から本発明の生産方法によって網膜神経細胞を得ることができ、患者自身の細胞を用いた再生医療が実現することになる。これによって、免疫拒絶の問題、倫理的問題、移植材料である移植細胞源の受容と供給のアンバランスなどといった再生医療の問題点を克服することができる。そして、現在有効な治療法が存在しない網膜変性疾患のための治療方法の確立に貢献するものと期待される。
【００２４】  また、本発明の網膜神経細胞の生産方法は、上記の生産方法において、上記虹彩色素上皮細胞は、哺乳類由来であることを特徴としている。
【００２５】  上記の方法によれば、従来有効な分化誘導方法見出されていなかった哺乳類の網膜神経細胞を生産することができる。そして、本方法を医療やバイオテクノロジーなどの分野に幅広く利用することができる。
【００２６】  また、本発明の網膜神経細胞の生産方法は、上記の生産方法において、上記胚性網膜幹細胞は、鳥類由来であることを特徴としている。
【００２７】  上記の方法によれば、虹彩色素上皮細胞に関して鳥類細胞と哺乳類細胞は、同様の因子に応答する性質を有しているため、哺乳類の虹彩色素上皮細胞から網膜神経細胞を生産する場合に、分化誘導を良好に行うことができる。また、鳥類の胚性網膜幹細胞は、哺乳類のそれと比べて、単離が容易で、比較的多くの量が得られるため、利用しやすいという利点も有している。
【００２８】  また、本発明の網膜神経細胞の生産方法は、上記の生産方法において、上記虹彩色素上皮細胞は、眼球から単離された後に、浮遊凝集塊培養方法によって選択的に培養されたものであることを特徴としている。
【００２９】  上記の方法によれば、浮遊凝集塊培養方法によって、単離された虹彩色素上皮細胞を選択的に培養し、神経幹細胞が形成する凝集塊（ｓｐｈｅｒｅ）と非常に類似した凝集塊を得ることができる。したがって、上記虹彩色素上皮細胞を分化誘導による網膜神経細胞の生産に好適に用いることができる。
【００３０】  なお、上記虹彩色素上皮細胞の凝集塊は、後述するように、従来公知の成長因子などを添加した培地にて培養することにより神経細胞への分化を誘導することができる。すなわち、上記虹彩色素上皮細胞は、比較的未分化な状態であると言える。また、上記虹彩色素上皮細胞は、「虹彩組織由来の神経幹細胞」と言い換えることもできる。
【００３１】  また、本発明の網膜神経細胞の生産方法は、上記の生産方法において、上記虹彩色素上皮細胞は、眼球から虹彩組織を摘出する虹彩組織摘出工程と、摘出した上記虹彩組織から虹彩色素上皮を分離する虹彩色素上皮分離工程とにより単離されることを特徴としている。
【００３２】  上記の方法によれば、虹彩色素上皮細胞を確実に単離することができ、網膜神経細胞の分化誘導に有効に利用することができる。
【００３３】  また、本発明の網膜神経細胞は、上記の何れかの生産方法によって得られるものである。
【００３４】  上記の網膜神経細胞は、患者本人からその細胞の一部を採取することが可能な虹彩色素上皮細胞から生産されたものであるため、患者自身の細胞を用いた再生医療の実現を可能とするものである。そして、免疫拒絶の問題、倫理的問題、移植材料である移植細胞源の受容と供給のアンバランスなどといった再生医療の問題点を克服することができる。
【００３５】  また、上記の網膜神経細胞は、遺伝子の導入を行うことなく分化誘導されたものであるため、ＤＮＡ損傷などの危険性がなく、医療面に用いる場合に安全性を確保することができる。
【００３６】  さらに、本発明のもう一つの網膜神経細胞の生産方法は、眼球から虹彩色素上皮細胞を単離する工程と、上記虹彩色素上皮細胞を無血清培地上で接着培養し、網膜神経細胞への分化を誘導する工程とからなることを特徴とした、接着培養を用いた生産方法である。
【００３７】  本発明の網膜神経細胞の生産方法によれば、上記虹彩色素上皮細胞を無血清倍地上で接着培養することによって、従来技術（非特許文献８参照）のように遺伝子の導入を行うことなく、網膜神経細胞へ分化誘導することができる。そのため、本発明の生産方法によって得られた網膜神経細胞を再生医療の材料として使用する場合にも、ＤＮＡ損傷などといった危険を伴うことがなく、再生医療に有効利用できる可能性を有している。
【００３８】  また、上記虹彩色素上皮細胞は、上述のように、患者本人からその細胞の一部を採取することが可能であるので、患者由来の虹彩色素上皮細胞から本発明の生産方法によって網膜神経細胞を得ることができ、患者自身の細胞を用いた再生医療が実現することになる。そして、免疫拒絶の問題、倫理的問題、移植材料である移植細胞源の受容と供給のアンバランスなどといった再生医療の問題点を克服することができる。それゆえ、本方法は、現在有効な治療法が存在しない網膜変性疾患のための治療方法の確立に貢献するものと期待される。
【００３９】  また、上記の接着培養を用いた生産方法において、上記虹彩色素上皮細胞は、鳥類または哺乳類由来であることを特徴としている。
【００４０】  上記の方法によれば、後述の実施例にも示すように、網膜視細胞、双極細胞、ミュラーグリア細胞などといった各種の網膜神経細胞を得ることができる。
【００４１】  また、本発明の網膜神経細胞の生産方法は、上記の接着培養を用いた生産方法において、上記接着培養における培養開始時の上記無血清培地には、ＦＧＦ２、ＦＧＦ９、ＣＮＴＦのうちの少なくとも一つが、１〜１００ｎｇ／ｍｌの濃度で含まれることを特徴としている。
【００４２】  上記の方法によれば、上記無血清培地上に上述の因子が１〜１００ｎｇ／ｍｌの濃度で含まれることによって、より確実に網膜神経細胞への分化を誘導することができ、網膜神経細胞の生産性を向上させることができる。なお、本発明においては、上記の各因子が複数含まれていても構わない。この場合も、各因子の濃度は、１〜１００ｎｇ／ｍｌであることが好ましい。
【００４３】  また、本発明の網膜神経細胞の生産方法は、上記の接着培養を用いた生産方法において、培養開始時の上記虹彩色素上皮細胞の無血清培地上の細胞密度（１ｃｍ２当たりの細胞数）は、１×１０５個／ｃｍ２以下であることを特徴としている。
【００４４】  上記の方法によれば、培養開始時の上記虹彩色素上皮細胞の無血清培地上の細胞密度が、１×１０５個／ｃｍ２以下であることによって、より確実に網膜神経細胞への分化を誘導することができ、網膜神経細胞の生産性を一層向上させることができる。
【００４５】  さらに、本発明の網膜神経細胞の生産方法は、眼球から虹彩色素上皮細胞を単離する工程と、上記虹彩色素上皮細胞を、ＦＧＦ２および／またはＦＧＦ９を含む培地上に植え付けて接着培養を開始する工程と、上記接着培養を開始する工程の後に、上記培地からＦＧＦ２および／またはＦＧＦ９を除去するとともに、上記培地にＣＮＴＦを添加して、上記虹彩色素上皮細胞を接着培養し、網膜神経細胞への分化を誘導する工程とからなることを特徴とした、接着培養を用いたもう一つの生産方法である。
【００４６】  上記の接着培養を用いたもう一つの生産方法によれば、上述の接着培養を用いた生産方法によって得られる効果に加えて、より早く網膜神経細胞への分化を誘導することができる。
【００４７】  上記の接着培養を用いたもう一つの生産方法では、上記接着培養を開始する工程において、上記培地を無血清培地とした場合、上記網膜神経細胞への分化を誘導する工程において、上記培地に血清をさらに添加してもよい。
【００４８】  また、本発明の網膜神経細胞は、上記の接着培養を用いた生産方法のうちの何れかの方法によって得られるものである。
【００４９】  上記の網膜神経細胞は、患者本人からその細胞の一部を採取することが可能な虹彩色素上皮細胞から生産されたものであるため、患者自身の細胞を用いた再生医療の実現を可能とするものである。それゆえ、免疫拒絶の問題、倫理的問題、移植材料である移植細胞源の受容と供給のアンバランスなどといった再生医療の問題点を克服することができる。
【００５０】  また、上記の網膜神経細胞は、遺伝子の導入を行うことなく分化誘導されたものであるため、ＤＮＡ損傷などの危険性がなく、医療面に用いる場合に安全性を確保することができる。
【００５１】  本発明のさらに他の目的、特徴、および優れた点は、以下に示す記載によって十分分かるであろう。また、本発明の利点は、次の説明によって明白になるであろう。
【図面の簡単な説明】
【００５２】［図１］本発明にかかる網膜神経細胞の生産方法の実施の一形態を示す概略工程図である。
［図２］図１に示す網膜神経細胞の生産方法の共培養工程において使用される共培養システムを示す模式図である。
［図３］本発明にかかる網膜神経細胞の生産方法の実施の他の形態を示す概略工程図である。
［図４（ａ）］マウスの虹彩色素上皮細胞由来のロドプシン陽性細胞を示す模式図である。矢印を付した箇所が、本実施例で抗体染色されたロドプシンである。
［図４（ｂ）］マウスの虹彩色素上皮細胞由来のビメンチン陽性細胞を示す模式図である。白色の領域が、本実施例で抗体染色されたビメンチンである。
［図５（ａ）］ヒヨコの虹彩色素上皮細胞由来のロドプシン陽性細胞を示す模式図である。白色の領域が、本実施例で抗体染色されたロドプシンである。
［図５（ｂ）］ヒヨコの虹彩色素上皮細胞由来のヨードプシン陽性細胞を示す模式図である。白色の領域が、本実施例で抗体染色されたヨードプシンである。
［図５（ｃ）］ヒヨコの虹彩色素上皮細胞由来のＰＫＣ陽性細胞を示す模式図である。白色の領域が、本実施例で抗体染色されたＰＫＣである。
［図６］マウスの虹彩色素上皮細胞由来の凝集塊（ｓｐｈｅｒｅ）を示す模式図である。
［図７（ａ）］ヒヨコの虹彩色素上皮細胞由来のロドプシン陽性細胞を示す模式図である。白色の領域が、本実施例で抗体染色されたロドプシンである。
［図７（ｂ）］ヒヨコの虹彩色素上皮細胞由来のヨードプシン陽性細胞を示す模式図である。白色の領域が、本実施例で抗体染色されたヨードプシンである。
［図７（ｃ）］ヒヨコの虹彩色素上皮細胞由来のＨＰＣ−１陽性細胞を示す模式図である。白色の領域が、本実施例で抗体染色されたＨＰＣ−１である。
【発明を実施するための最良の形態】
【００５３】  〔実施の形態１〕
本発明の実施の形態１について図１、図２、図４（ａ）、図４（ｂ）に基づいて説明すれば、以下の通りである。なお、本発明はこの記載に限定されるものではない。【００５４】  本実施の形態１では、胚性網膜幹細胞と虹彩色素上皮細胞とを共培養し、虹彩色素上皮細胞から網膜神経細胞を分化誘導することによって網膜神経細胞を生産する方法について説明する。【００５５】  本実施の形態にかかる網膜神経細胞の生産方法の概略工程を図１に示す。本実施の形態の網膜神経細胞の生産方法は、図１に示すように、大きく分けて３つの工程からなる。第１の工程は、動物の眼球から虹彩色素上皮細胞を単離する虹彩色素上皮細胞単離工程（Ｓ１）であり、第２の工程は、単離した虹彩色素上皮細胞を浮遊凝集塊培養方法により選択的に培養する選択的培養工程（Ｓ２）であり、第３の工程は、選択培養された上記虹彩色素上皮細胞と、胚性網膜幹細胞とを共培養する共培養工程（Ｓ３）である。【００５６】  つまり、本実施の形態にかかる網膜神経細胞の生産方法では、虹彩色素上皮細胞単離工程（Ｓ１）と、それに引き続いて実施される虹彩色素上皮細胞の選択的培養工程（Ｓ２）とによって得られた虹彩色素上皮細胞と、胚性網膜幹細胞とを共培養する共培養工程（Ｓ３）を実施することによって、虹彩色素上皮細胞が網膜神経細胞へと分化し、その結果、網膜神経細胞を獲得することができる。なお、上記選択的培養工程（Ｓ２）によって培養された虹彩色素上皮細胞は、比較的未分化な状態であり、種々の神経細胞へ分化する可能性を有しているため、「虹彩組織由来の神経幹細胞」と呼ぶこともできる。【００５７】  また、本実施の形態では、網膜神経細胞の生産に用いられる虹彩色素上皮細胞を、哺乳類の眼球から単離した後に、上述のように浮遊凝集塊培養方法によって選択的に培養する。これによれば、脳や脊髄由来の神経幹細胞が形成する凝集塊（ｓｐｈｅｒｅ）と非常に類似した凝集塊を得ることができ、神経細胞の分化誘導に有効に利用することができる。【００５８】  ここで、本方法に用いられる胚性網膜幹細胞について説明する。【００５９】  胚性網膜幹細胞とは、参考文献１（Ｔｕｒｎｅｒ  ＤＬ  ＆  Ｃｅｐｋｏ，Ｎａｔｕｒｅ（１９８７年）３２８：１３１−１３６頁）において証明されたものであり、分化後に網膜神経細胞となる未分化の細胞のことである。この胚性網膜幹細胞は、従来公知の方法によって、胚の網膜組織から単離することができる。この単離については、例えば、参考文献２（Ａｋａｇｉ  Ｔ．ｅｔ．ａｌ．，Ｎｅｕｒｏｓｃｉ  Ｌｅｔｔ．，２００３  Ｍａｙ  ８，３４１（３）：２１３−２１６頁）に記載の方法によって実施することができる。【００６０】  この胚性網膜幹細胞を採取する動物種については、特に限定されないが、哺乳類由来の虹彩色素上皮細胞を用いて網膜神経細胞を生産する場合には、哺乳類あるいは鳥類の網膜組織から採取し、単離することが好ましい。さらに、発生中の卵から採取できるため単離が比較的容易かつ安価であり、比較的多くの量が得られるという点から、鳥類由来の胚性網膜幹細胞を用いることがより好ましく、鳥類の中でも、ニワトリ由来の胚性網膜幹細胞を用いることがさらに好ましい。【００６１】  また、本実施の形態の網膜神経細胞の生産方法に用いられる虹彩色素上皮細胞を採取する動物種も、特に限定はされないが、従来有効な網膜神経細胞の分化誘導方法が見出されていない哺乳類に本生産方法を適用することが望まれているため、上記虹彩色素上皮細胞は哺乳類由来であることが好ましい。そして、実験動物としての利用価値があることから、マウス、ラット、ハムスター、ハツカネズミなどのげっ歯類、あるいは、臨床面での応用を考慮した場合には、視覚機能がより発達した動物（フェレットやサルなど）やヒト由来の虹彩色素上皮細胞を用いることがより好ましい。【００６２】  次に、上記虹彩色素上皮細胞を単離・培養する方法、すなわち、虹彩色素上皮細胞単離工程（Ｓ１）および選択的培養工程（Ｓ２）について、より詳細に説明する。【００６３】  虹彩色素上皮細胞の単離・培養は、図１に示すように、眼球から虹彩色素上皮細胞を単離する虹彩色素上皮細胞単離工程（ステップ１、以下ステップをＳと略す）と、単離した虹彩色素上皮細胞を浮遊凝集塊培養方法により選択的に培養する選択的培養工程（Ｓ２）とを少なくとも含む方法によって実施することができる。この方法によれば、脳、脊髄に由来する神経幹細胞が形成する凝集塊（ｓｐｈｅｒｅ）と非常に類似した凝集塊を得ることができる。【００６４】  ここで、虹彩色素上皮細胞を単離する哺乳類は、胎児から成体に至るまでどの時期の個体であってもよい。すなわち、本実施の形態に係る網膜神経細胞の生産方法には、その材料として哺乳類胎児由来の虹彩色素上皮細胞を用いることができるだけでなく、哺乳類成体由来の虹彩色素上皮細胞を用いることもできる。【００６５】  Ｓ１の虹彩色素上皮細胞単離工程は、虹彩色素上皮細胞を単離できればよく、その具体的な手法等については特に限定されない。一般的には、従来公知の方法を利用して、哺乳類の眼球から虹彩組織を摘出し、摘出した虹彩組織から虹彩色素上皮細胞を単離すればよい。哺乳類の眼球から虹彩組織を摘出する方法としては、上記非特許文献８に記載の方法を用いることが好ましい。【００６６】  Ｓ２の選択的培養工程は、哺乳類の眼球から単離した虹彩色素上皮細胞のみを選択的に培養できればよく、その具体的な手法等については特に限定されない。一般的には、従来公知の方法を利用して、哺乳類の眼球から単離した虹彩色素上皮細胞のみを選択的に培養すればよい。【００６７】  上記虹彩色素上皮細胞単離工程（Ｓ１）には、プロセス１（以下、プロセスをＰと略す）として虹彩組織摘出工程、および、Ｐ２として虹彩色素上皮分離工程が少なくとも含まれる。【００６８】  また、上記虹彩組織摘出工程（Ｐ１）は、図１に示すように、Ｐ３として、哺乳類の眼球から虹彩組織のみを切除する虹彩組織切除段階を、Ｐ４として、切除した虹彩組織を酵素処理する酵素処理段階を、Ｐ５として、酵素処理した虹彩組織を回復させる虹彩組織回復処理段階をさらに含んでいる。【００６９】  また、上記選択的培養工程（Ｓ２）には、Ｐ６として、上記虹彩色素上皮細胞単離工程（Ｓ１）において単離された虹彩色素上皮細胞を凝集している状態からここの細胞に解離するための細胞解離段階と、Ｐ７として、単離した虹彩色素上皮細胞のみを選択的に培養する��胞培養段階とが少なくとも含まれる。【００７０】  以下、上記虹彩組織摘出工程（Ｐ１）の各段階Ｐ３〜Ｐ５について詳細に説明する。まず、Ｐ３の虹彩組織切除段階は、哺乳類の眼球から虹彩組織のみを切除できればよく、その具体的な手法等については特に限定されない。一般的には、従来公知の手法を利用して、哺乳類の眼球から虹彩組織のみを切除すればよい。例えば、Ｐ３の虹彩組織切除段階は、市販のマイクロ鋏を用いて実施することができる。【００７１】  Ｐ４の酵素処理段階は、虹彩組織から虹彩色素上皮を分離しやすくするために虹彩組織を酵素処理するものであり、その具体的な手法等については特に限定されることなく、一般的には、従来公知の手法を利用して実施すればよい。【００７２】  例えば、Ｐ４の酵素処理段階は、虹彩組織を市販のディスパーゼを含むディスパーゼ溶液中にて１５〜４０分間反応させた後、市販のＥＤＴＡ（エチレンジアミン四酢酸）を含むＥＤＴＡ溶液中にて２０〜３０分間反応させることによって実施することができる。なお、Ｐ４の酵素処理段階に用いられる酵素および試薬は、特に限定されることなく、虹彩組織から虹彩色素上皮を分離しやすくするように虹彩組織を処理することが可能な従来公知の酵素および試薬を用いることができる。【００７３】  Ｐ５の虹彩組織回復処理段階は、酵素処理によって衰弱した虹彩組織を回復させるものであり、その具体的な手法等については特に限定されることなく、従来公知の手法を利用して実施すればよい。【００７４】  例えば、Ｐ５の虹彩組織回復処理段階は、酵素処理段階の反応後、虹彩組織を市販のウシ胎児血清を含む培養液中にて、３０〜６０分間反応させることによって、実施することができる。なお、Ｐ５の虹彩組織回復処理段階に用いられる血清を含む培養液および試薬は、特に限定されるものではなく、衰弱した虹彩組織が回復することが可能な従来公知の血清を含む培養液および試薬を用いることができる。【００７５】  また、上記の虹彩組織摘出工程（Ｐ１）においては、Ｐ４の酵素処理段階およびＰ５の虹彩組織回復処理段階の反応時間が特に重要である。Ｐ４の酵素処理段階の虹彩組織のディスパーゼ溶液による反応時間、およびＥＤＴＡ溶液による反応時間、ならびにＰ５の虹彩組織回復処理段階のウシ胎児血清を含む培養液による反応時間を調節することによって、ニワトリだけでなく、マウス、ラット、ヒトなどといった哺乳類の眼球から虹彩色素上皮を分離することができる。【００７６】  以下、各動物に対する上記の各条件を具体的に記載する。【００７７】  マウスの眼球から虹彩色素上皮を単離する場合は、虹彩組織を２５〜３７℃の上記ディスパーゼ溶液１０００Ｕ／ｍｌによって１５〜４０分間反応させ、室温下にて上記ＥＤＴＡ溶液０．０５〜０．１％によって１６〜４０分間反応させ、ウシ胎児血清を８〜１０％含む培養液によって３０〜１２０分間反応させることが好ましい。【００７８】  また、生後１０日のマウスの眼球から虹彩色素上皮を単離する場合は、虹彩組織を３７℃の上記ディスパーゼ溶液１０００Ｕ／ｍｌによって１６分間反応させ、室温下にて上記ＥＤＴＡ溶液０．０５％によって２０分間反応させ、ウシ胎児血清を８％含む培養液によって９��分間反応させることが特に好ましい。【００７９】  また、生後１２日のマウスの眼球から虹彩色素上皮を単離する場合は、虹彩組織を３７℃の上記ディスパーゼ溶液１０００Ｕ／ｍｌによって２０分間反応させ、室温下にて上記ＥＤＴＡ溶液０．０５％によって２５分間反応させ、ウシ胎児血清を８％含む培養液によって６０分間反応させることが特に好ましい。【００８０】  また、生後２ヶ月のマウスの眼球から虹彩色素上皮を単離する場合は、虹彩組織を３７℃の上記ディスパーゼ溶液１０００Ｕ／ｍｌによって３０分間反応させ、室温下にて上記ＥＤＴＡ溶液０．０５％によって４０分間反応させ、ウシ胎児血清を８％含む培養液によって３０分間反応させることが特に好ましい。【００８１】  ラットの眼球から虹彩色素上皮を単離する場合は、虹彩組織を３７℃の上記ディスパーゼ溶液１０００Ｕ／ｍｌによって１５〜４０分間反応させ、室温下にて上記ＥＤＴＡ溶液０．０５％によって１５〜６０分間反応させ、ウシ胎児血清を８〜１０％含む培養液によって３０〜１２０分間反応させることが好ましい。【００８２】  ヒト胎児の眼球から虹彩色素上皮を単離する場合は、虹彩組織を２５〜３７℃の上記ディスパーゼ溶液５００〜１０００Ｕ／ｍｌによって１５〜３０分間反応させ、室温下にて上記ＥＤＴＡ溶液０．０５〜０．１％によって１５〜４０分間反応させ、ウシ胎児血清を８〜１０％含む培養液によって１０〜６０分間反応させることが好ましい。【００８３】  また、生後１９週のヒト胎児の眼球から虹彩色素上皮を単離する場合は、虹彩組織を３７℃の上記ディスパーゼ溶液１０００Ｕ／ｍｌによって３０分間反応させ、室温下にて上記ＥＤＴＡ溶液０．０５％によって３０分間反応させ、ウシ胎児血清を８％含む培養液によって６０分間反応させることが特に好ましい。【００８４】  なお、上記培養液としては、例えば、ｉｎｖｉｔｒｏｇｅｎ社製「ＤＭＥＭ培地」を用いて、市販のウシ胎児血清を適量添加したものを用いればよい。【００８５】  Ｐ２の虹彩色素上皮分離工程は、虹彩組織摘出工程（Ｐ１）にて摘出した虹彩基質と虹彩色素上皮とから構築される虹彩組織から、虹彩色素上皮のみを分離できればよく、その具体的な手法等については特に限定されない。一般的には、従来公知の手法を利用して、虹彩組織から虹彩色素上皮のみを分離すればよい。【００８６】  例えば、Ｐ２の虹彩色素上皮分離工程は、回復させた虹彩組織から、市販のマイクロピンセットを用いて、虹彩色素上皮のみをはがして回収することによって実施してもよい。【００８７】  続いて、上記選択的培養工程（Ｓ２）の各段階Ｐ６およびＰ７について詳細に説明する。まず、Ｐ６の細胞解離段階は、単離された虹彩色素上皮のシート状の細胞を個々の細胞に解離できればよく、その具体的な手法等については特に限定されない。一般的には、従来公知の手法を利用して、単離された虹彩色素上皮のシート状の細胞を個々の細胞に解離すればよい。【００８８】  例えば、Ｐ６の細胞解離段階は、市販のトリプシン溶液を用いて、単離された虹彩色素上皮のシート状の細胞を個々の細胞に解離する。また、例えば、Ｐ６の細胞解離段階は、トリプシン溶液を用いずに、市販のマイクロピペットを用いたピペッティング操作により、単離された虹彩色素上皮のシート状の細胞を個々の細胞に解離することもできる。【００８９】  なお、Ｐ６の細胞解離段階に用いられる試薬および器具は、特に限定されるものではなく、単離された虹彩色素上皮細胞を凝集している状態から個々の細胞に解離することが可能な従来公知の試薬および器具を用いることができる。【００９０】  Ｐ７の細胞培養段階は、単離した虹彩色素上皮細胞のみを選択的に培養することができればよく、その具体的な手法等については特に限定されない。一般的には、従来公知の手法を利用して、単離した虹彩色素上皮細胞のみを選択的に培養すればよい。好ましくは、Ｓｃｉｅｎｃｅ  １９９２：２２５；１７０７−１７１０（参考文献３）に記載のｎｅｕｒｏｓｐｈｅｒｅ法（浮遊凝集塊培養法）を利用して、哺乳類の眼球から単離した虹彩色素上皮細胞のみを選択的に培養する。【００９１】  例えば、Ｐ７の細胞培養段階は、市販の無血清培地に市販のＮ２サプリメントを加えたものを浮遊凝集塊培養用の培養液として使用する。Ｐ６の細胞解離段階にて解離された虹彩色素上皮細胞を、浮遊凝集塊培養用の培養液中にて、市販のシェイカーを用いて回転を加えながら培養する。これによって、脳、脊髄由来の神経幹細胞が形成する凝集塊（ｓｐｈｅｒｅ）と非常に類似した凝集塊を得ることができる。【００９２】  なお、Ｐ７の上記細胞培養段階に用いられる培養液および試薬は、特に限定されるものではなく、脳、脊髄由来の神経幹細胞が形成する凝集塊（ｓｐｈｅｒｅ）と非常に類似した凝集塊を得ることが可能な従来公知の培養液および試薬を用いることができる。【００９３】  以上のような方法で得られた虹彩色素上皮細胞由来の凝集塊が、胚性網膜幹細胞との共培養に用いられる。【００９４】  次に、上述の胚性網膜幹細胞および選択的培養工程（Ｓ２）によって選択培養された虹彩色素上皮細胞とを共培養する共培養工程（Ｓ３）ついて説明する。【００９５】  上記共培養工程（Ｓ３）は、例えば、参考文献４（Ｓｅｍｉｎ  Ｃｅｌｌ  Ｄｅｖ  Ｂｉｏｌ（１９９８）、９（３）、２５７−２６２、ｒｅｖｉｅｗ）に記載された方法に従って実施することができる。すなわち、例えばニワトリなどの鳥類由来の胚性網膜幹細胞を巻き込む際に、哺乳類の眼球より上述の方法によって単離し解離した虹彩色素上皮細胞（虹彩組織由来の神経幹細胞）をともに巻き込むことによって、胚性網膜細胞と虹彩色素上皮細胞とを共培養する。これによって、哺乳類由来の虹彩色素上皮細胞から網膜神経細胞を分化誘導することができる。【００９６】  具体的には、例えば、マウスの眼球から虹彩組織を単離し、虹彩色素上皮細胞を培養する場合、その単離および培養は、上述の手順（すなわち、虹彩色素上皮細胞単離工程（Ｓ１）、選択的培養工程（Ｓ２））に従って行えばよい。その後、培養日数３〜６日後に、ディスパーゼ、トリプシン混合液で細胞を解離する。さらに、解離した虹彩色素上皮細胞を鳥類由来の胚性網膜幹細胞と同時に共培養システム（参考文献４参照）に投入し、旋回培養を行うことによって、虹彩色素上皮細胞から分化した網膜神経細胞を得ることができる。【００９７】  図２には、本実施の形態において使用される共培養システ���の模式図を示す。本共培養システムは、図２に示すように、培養皿１と、その内部に配置され例えば矢印Ａ方向に旋回可能なインナーウエル２とを主な構成要素としている。そして、上記共培養工程（Ｓ３）においては、培養皿１の底の部分に、鳥類由来の網膜色素上皮細胞５を敷き、インナーウエル２の内部に鳥類由来の胚性網膜幹細胞３と哺乳類由来の虹彩色素上皮細胞３とを注入し、旋回培養を行う。【００９８】  なお、この旋回培養では、培養温度３６．５〜３７．５℃、培養日数１０〜３０日、旋回の回転数５０〜７０ｒｐｍで行うことが好ましい。【００９９】  上述のような培養条件で共培養された細胞は、例えば、網膜神経細胞に特異的形質であるマーカータンパク質の検出を各特異的抗体による染色を行うことによって、網膜神経細胞への分化が誘導され、その結果網膜神経細胞が生産されたか否かを確認することができる。【０１００】  上記マーカータンパク質としては、例えば、光受容機能を発揮するための極めて特異的なタンパク質であるロドプシンあるいはヨードプシンを挙げることができる。ロドプシンは、網膜神経細胞の一種である網膜視細胞が光受容機能を発揮するために必要なタンパク質であり、網膜視細胞を形成するロッドにおいて特異的に発現するものである。ヨードプシンもまた、網膜視細胞が光受容機能を発揮するために必要なタンパク質であり、網膜視細胞を形成するコーンにおいて特異的に発現するものである。また、他のマーカータンパク質として、網膜神経細胞の一つであるミュラーグリア細胞を検出するビメンチンなども利用することができる。【０１０１】  上記の共培養された細胞から、ロドプシン（あるいはヨードプシン）が検出されていれば（図４（ａ）参照）、当該培養細胞が網膜神経細胞（より具体的には、網膜視細胞）に分化誘導されたことを確認することができる。また、上記の共培養された細胞から、ビメンチンが検出されていれば（図４（ｂ）参照）、当該培養細胞が網膜神経細胞（より具体的には、ミュラーグリア細胞）に分化誘導されたことを確認することができる。【０１０２】  本実施の形態にかかる方法によれば、後述の実施例にも示されるように、哺乳類の虹彩色素上皮細胞から網膜神経細胞を確実に分化誘導し、網膜神経細胞を生産することができる。【０１０３】  なお、本実施の形態では、網膜色素上皮細胞および胚性網膜幹細胞は鳥類由来のものを用い、虹彩色素上皮細胞については哺乳類由来のものを用いて共培養を行う例を示したが、本発明はこれに限定されるものではない。すなわち、例えば、全て哺乳類由来の細胞を用いて共培養を行い、虹彩色素上皮細胞から網膜神経細胞の分化誘導を行ってもよい。【０１０４】  以上のような方法によれば、虹彩色素上皮細胞から網膜神経細胞を分化誘導することによって、網膜神経細胞を生産することができる。それゆえ、本方法は、網膜疾患患者自身の虹彩組織の一部を採取して、その虹彩組織から網膜神経細胞を生産するという極めて有効な再生医療に利用できる可能性を有している。【０１０５】  〔実施の形態２〕
本発明の実施の形態２について図３、図５（ａ）〜図５（ｃ）に基づいて説明すれば、以下の通りである。なお、本発明はこの記載に限定されるものではない。【０１０６】  本実施の形態２では、眼球から虹彩色素上皮細胞を単離する工程と、上記虹彩色素上皮細胞を無血清培地上で接着培養し、網膜神経細胞への分化を誘導する工程とを含んでなる網膜神経細胞の生産方法について説明する。【０１０７】  本実施の形態に係る網膜神経細胞の生産方法は、図３に示すように、主として、眼球から虹彩色素上皮細胞を単離する虹彩色素上皮細胞単離工程（Ｓ１１）と、虹彩色素上皮細胞を接着培養する接着培養工程（Ｓ１３）とを含んで構成されている。【０１０８】  虹彩色素上皮細胞単離工程（Ｓ１１）については、上述の実施の形態１で説明した虹彩色素上皮細胞単離工程（Ｓ１：図１参照）と同様の手法で実施することができるため、本実施の形態２では、その説明を省略する。【０１０９】  さらに、本実施の形態に係る網膜神経細胞の生産方法では、上記虹彩色素上皮細胞単離工程（Ｓ１１）と接着培養工程（Ｓ１３）との間に、上述の実施の形態１で説明した選択的培養工程（Ｓ２：図１参照）に相当する選択的培養工程（Ｓ１２）が含まれている。上記選択的培養工程（Ｓ１２）についても、実施の形態１における選択的培養工程（Ｓ２）と同様の手法で実施することができるため、本実施の形態２では、その説明を省略する。【０１１０】  そして、上記選択的培養工程（Ｓ１２）において、虹彩組織由来の神経幹細胞（すなわち、虹彩色素上皮細胞）が選択的に培養され、続いて行われる接着培養工程（Ｓ１３）において、培養された虹彩色素上皮細胞が網膜神経細胞へ分化誘導される。【０１１１】  なお、上記選択的培養工程（Ｓ１２）によって培養された虹彩色素上皮細胞は、比較的未分化な状態であり、種々の神経細胞へ分化する可能性を有している。ここで、上述の種々の神経系細胞とは、ニューロン（神経細胞）、および非神経細胞であるグリア細胞を含むものとする。上記グリア細胞は、ニューロンの特徴のひとつである能動的な電気的応答を示さないが、ニューロンの支持、または栄養をニューロンに供給するなどニューロンに対して様々な機能を担う細胞である。上記グリア細胞は、その機能や特徴によって、脊椎動物においては、アストログリア（アストロサイト）、ミクログリア（ミクログリア細胞）、オリゴデンドログリア（オリゴデンドロサイト）、シュワン細胞の４種類に分類される。【０１１２】  そして、本実施の形態にかかる網膜神経細胞の生産方法は、上記接着培養工程（Ｓ１３）によって、虹彩色素上皮細胞から上述のニューロン、アストロサイト、オリゴデンドロサイトが分化誘導され、さらに、その中の一部が網膜神経細胞に分化誘導されるというものである。【０１１３】  本実施の形態２において分化誘導に用いられる虹彩色素上皮細胞を採取する動物種は、特に限定はされないが、例えば、ニワトリ（ヒヨコを含む）、ウズラなどの鳥類、あるいは、マウス、ラット、ヒトなどの哺乳類を挙げることができる。鳥類または哺乳類由来の虹彩色素上皮細胞を用いて、本実施の形態２にかかる生産方法によって網膜神経細胞の生産を行えば、後述の実施例にも示す��うに、網膜視細胞、双極細胞、ミュラーグリア細胞などといった各種の網膜神経細胞を得ることができる。【０１１４】  特に、哺乳類の網膜神経細胞については、現状では、有効な分化誘導方法が見出されていないため、哺乳類由来の虹彩色素上皮細胞を用いて網膜神経細胞を誘導することができる本実施の形態にかかる方法は、網膜神経細胞の再生医療などにおいて高い利用可能性を有していると言える。【０１１５】  また、実施の形態１では、哺乳類の虹彩色素上皮細胞の単離・培養に、上述の虹彩色素上皮細胞単離工程および選択的培養工程からなる方法を用いているが、鳥類の虹彩色素上皮細胞の単離・培養についても、それと同様にして実施することができる。【０１１６】  なお、眼球から虹彩色素上皮細胞を単離する場合に、虹彩色素上皮細胞単離工程（Ｓ１１）において、実施の形態１で説明したように、虹彩組織摘出工程（Ｐ１：図１参照）で酵素処理および虹彩組織回復処理を実施する。【０１１７】  ここで、上記の酵素処理および虹彩組織回復処理における各条件は、鳥類の眼球から虹彩色素上皮を単離する場合は、虹彩組織を３６．５〜３７．５℃のディスパーゼ溶液１０００Ｕ／ｍｌによって１０〜４０分間反応させ、室温下にて上記ＥＤＴＡ溶液０．０５〜０．１％によって２０〜５０分間反応させることが好ましい。【０１１８】  また、ニワトリの雛の眼球から虹彩色素上皮を単離する場合は、虹彩組織を３６．５〜３７．５℃のディスパーゼ溶液１０００Ｕ／ｍｌによって３０分間反応させ、室温下にて上記ＥＤＴＡ溶液０．０５〜０．１％によって２０〜４０分間反応させ、ウシ胎児血清を５〜１０％含む培養液によって５〜１０分間反応させることがより好ましい。【０１１９】  次に、上記虹彩色素上皮細胞を接着培養する接着培養工程（Ｓ１３）について具体的に説明する。【０１２０】  上記接着培養工程（Ｓ１３）は、無血清培地上で虹彩色素上皮細胞を接着培養するというものである。上記接着培養には、従来公知の接着培養法を用いればよく、例えば、上記参考文献３に記載の接着培養法を利用してもよい。この接着培養工程（Ｓ１３）に用いられる培地は、無血清培地であること以外は特に限定されることはなく、虹彩色素上皮細胞由来の神経幹細胞を神経系細胞に分化誘導することが可能な従来公知の培地を用いることができる。【０１２１】  例えば、上記接着培養用の培地としては、ＤＭＥＭ／Ｆ１２培地、ＤＭＥＭ培地、ＥＭＥＭ培地（全てｉｎｖｉｔｒｏｇｅｎ社製）などを使用することができる。【０１２２】  また、上記接着培養工程（Ｓ１３）に用いられる培養皿および添加する因子は、特に限定されるものではなく、虹彩色素上皮細胞由来の神経幹細胞を神経系細胞に分化誘導することが可能な従来公知の培養皿および因子を用いることができる。【０１２３】  また、上記接着培養用の培養開始時の無血清培地には、ＦＧＦ２（ｆｉｂｒｏｂｌａｓｔ  ｇｒｏｗｔｈ  ｆａｃｔｏｒ２：繊維芽細胞成長因子）、ＦＧＦ９（ｆｉｂｒｏｂｌａｓｔ  ｇｒｏｗｔｈ  ｆａｃｔｏｒ９：繊維芽細胞成長因子）、ＣＮＴＦ（毛様体神経節神経栄養因子）のうちの少なくとも一つの因子が、１〜１００ｎｇ／ｍｌの濃度で含まれることが好ましく、１０〜４０ｎｇ／ｍ���の濃度で含まれることがさらに好ましい。【０１２４】  そして、培養から２〜５日経過後に、これらの因子のうちのＦＧＦ２、ＦＧＦ９については、添加を停止することが好ましい。すなわち、培養開始から遅くとも５日が経過するまでには、ＦＧＦ２およびＦＧＦ９を含まない無血清培地を使用することが好ましい。ＣＮＴＦについては、培養開始時から終了時まで継続的に添加することが好ましい。これによって、培養開始から約２週間で網膜神経細胞への分化を確実に誘導することができる。また、上記無血清培地には、市販のＮ２サプリメントがさらに添加されることが好ましい。【０１２５】  なお、接着培養工程（Ｓ１３）に用いられる無血清培地に添加する成長因子としては、上記のものに限定されることなく、それ以外に例えば、ＦＧＦ２，９以外のＦＧＦ−ｆａｍｉｌｙ群、ＥＧＦ（ｅｐｉｄｅｒｍａｌ  ｇｒｏｗｔｈ  ｆａｃｔｏｒ：上皮成長因子）、ＢＤＮＦ（ｂｒａｉｎ  ｄｅｒｉｖｅｄ  ｎｕｔｒｉｔｉｏｎａｌ  ｆａｃｔｏｒ：脳由来神経栄養因子）、ＥＧＦ（ｅｐｉｄｅｒｍａｌ  ｇｒｏｗｔｈ  ｆａｃｔｏｒ：上皮成長因子）、ＮＴ−３（ｎｅｕｒｏｔｒｏｐｈｉｎ−３：ニューロトロフィン−３）、ＮＴ−４（ｎｅｕｒｏｔｒｏｐｈｉｎ−４：ニューロトロフィン−４）、ＲＡ（ｒｅｔｉｎｏｉｃ  ａｃｉｄ：ビタミンＡ）、ＰＤＧＦ（ｐｌａｔｅｌｅｔ  ｄｅｒｉｖｅｄ  ｇｒｏｗｔｈ  ｆａｃｔｏｒ：血小板由来成長因子）、Ｔ３（ｔｒｉｉｏｄｏｔｈｙｒｏｎｉｎｅ：トリヨードチロニン）などが挙げられる。【０１２６】  また、上記接着培養用の培養皿としては、ラミニン（ｌａｍｉｎｉｎ）、コラーゲン（ｃｏｌｌａｇｅｎ）などの細胞外基質成分がコートされた培養皿、またはポリＤリジンコートの培養皿が好ましいが、特にこれに限定されるものではない。【０１２７】  また、上記接着培養を開始する際の上記無血清培地上へ植え付ける虹彩色素上皮細胞の細胞密度（１ｃｍ２当たりの細胞数）は、１×１０５個／ｃｍ２以下であることが好ましい。これによれば、網膜神経細胞への分化をより効率良く誘導することができる。なお、網膜神経細胞への分化をさらに効率良く誘導するためには、上記虹彩色素上皮細胞の細胞密度を１×１０４〜５×１０４個／ｃｍ２とすればよい。【０１２８】  なお、上記接着培養工程（Ｓ１３）における上記以外の各培養条件は、従来公知の神経幹細胞の培養条件にしたがって実施すればよい。【０１２９】  上述のような培養条件で接着培養された細胞は、従来公知の一般的神経マーカーを用いて神経細胞の検出を行うことで、ニューロン、アストロサイト、オリゴデンドロサイトといった各種神経細胞への分化が誘導されているかを確認することができる。なお、ニューロンの検出には、マーカーとしてチューブリンやニューロフィラメントなどを、アストロサイトの検出には、マーカーとしてＧＦＡＰなどを、オリゴデンドロサイトの検出には、マーカーとしてＯ４などを使用すればよい。【０１３０】  そして、ニューロン、アストロサイト、オリゴデンドロサイトを検出した後、例えば、網膜神経細胞に特異的形質であるマーカータンパク質の検出を各特異的抗体による染色を行うことによって、網膜神経細胞への分化が誘導され、その結���網膜神経細胞が生産されたか否かを確認することができる。また、上記マーカータンパク質の抗体染色以外に、細胞からＲＮＡを抽出し、ＲＴ−ＰＣＲ法などによりマーカー遺伝子の発現を確認することによっても、網膜神経細胞が生産されたか否かを確認することができる。【０１３１】  上記マーカータンパク質としては、例えば、実施の形態１で説明したロドプシンおよびヨードプシンを挙げることができる。これらのタンパク質は、網膜神経細胞の一種である網膜視細胞において特異的に発現している。また、網膜視細胞以外の網膜神経細胞としては、例えば、双極細胞、ミュラーグリア細胞、アマクリン細胞などが挙げられる。これらに特異的なマーカータンパク質として、双極細胞に関してはＰＫＣ（フォスフォキナーゼ）を、ミュラーグリア細胞に関してはビメンチンを、アマクリン細胞に関してはＨＰＣ−１を利用することができる。【０１３２】  上記の接着培養された細胞から、ロドプシンおよびヨードプシンが検出されれば（図５（ａ）、図５（ｂ）参照）、当該培養細胞が網膜視細胞に誘導されたことを確認することができる。また、上記の接着培養された細胞から、ＰＫＣ（フォスフォキナーゼ）が検出されれば（図５（ｃ）参照）、当該培養細胞が双極細胞に誘導されたことを確認することができビメンチンが検出されれば、当該培養細胞がミュラーグリア細胞に誘導されたことを確認することができ、ＨＰＣ−１が検出されれば、当該培養細胞がアマクリン細胞に誘導されたことを確認することができる。【０１３３】  以上のような方法によれば、虹彩色素上皮細胞から網膜神経細胞を分化誘導することによって、網膜神経細胞を生産することができる。それゆえ、本方法は、網膜疾患患者自身の虹彩組織の一部を採取して、その虹彩組織から網膜神経細胞を生産するという極めて有効な再生医療に利用できる可能性を有している。【０１３４】  〔実施の形態３〕
本発明の実施の形態３について以下に説明する。なお、本発明はこの記載に限定されるものではない。【０１３５】  本実施の形態３では、眼球から虹彩色素上皮細胞を単離する工程と、上記虹彩色素上皮細胞を、ＦＧＦ２および／またはＦＧＦ９を含む培地上で接着培養を開始する工程と、上記接着培養を開始する工程の後に、上記培地からＦＧＦ２および／またはＦＧＦ９を除去するとともに、上記培地にＣＮＴＦを添加して、上記虹彩色素上皮細胞を接着培養し、網膜神経細胞への分化を誘導する工程とを含んでなる網膜神経細胞の生産方法について説明する。【０１３６】  本実施の形態に係る網膜神経細胞の生産方法は、実施の形態２と同様に、主として、眼球から虹彩色素上皮細胞を単離する虹彩色素上皮細胞単離工程（Ｓ１１）と、虹彩色素上皮細胞を接着培養する接着培養工程（Ｓ１３）とを含んで構成されている。また、本実施の形態３の網膜神経細胞の生産方法には、実施の形態２と同様に、上記虹彩色素上皮細胞単離工程（Ｓ１１）と接着培養工程（Ｓ１３）との間に、選択的培養工程（Ｓ１２）が含まれている（図３参照）。【０１３７】  そして、本実施の形態３の網膜神経細胞の生産方法においては、上記接着培養工程（Ｓ１３）が、上記虹彩色素上皮細胞を、ＦＧＦ２および／またはＦＧＦ９を含む培地上で接着培養を開始する工程と、上記接着培養を開始する工程の後に、上記培地からＦＧＦ２および／またはＦＧＦ９を除去するとともに、上記培地にＣＮＴＦを添加して、上記虹彩色素上皮細胞を接着培養し、網膜神経細胞への分化を誘導する工程とからなる。【０１３８】  なお、本実施の形態３の網膜神経細胞の生産方法では、接着培養工程（Ｓ１３）において使用する培地およびその培地への各因子の添加方法が、実施の形態２とは異なる。従って、本実施の形態３では、上述の接着培養工程（Ｓ１３）以外の手法については、実施の形態２と同様の手法で実施することができるため、ここではその説明を省略する。【０１３９】  本実施の形態３では、接着培養を開始する工程において用いる培地は、無血清培地であってもよいが、それに限定されることなく、血清を含むものであってもよい。上記接着培養用の培地としては、ＤＭＥＭ／Ｆ１２培地、ＤＭＥＭ培地、ＥＭＥＭ培地（全てｉｎｖｉｔｒｏｇｅｎ社製）などを使用することができる。また、ここで使用される血清としては、例えば、ウシ胎児血清（ＦＣＳ）が挙げられる。上記血清は、培地中に１〜１０％（Ｗ／Ｖ）で含まれることが好ましい。【０１４０】  また、上記接着培養開始時の培地には、さらにＦＧＦ２および／またはＦＧＦ９が含まれている。このＦＧＦ２（あるいは、ＦＧＦ９）の培地中の濃度は、１０〜４０ｎｇ／ｍｌであることが好ましい。【０１４１】  なお、上記の接着培養開始時の培地に添加する成長因子としては、上記のものに限定されることなく、それ以外に例えば、ＦＧＦ２，９以外のＦＧＦ−ｆａｍｉｌｙ群、ＥＧＦ、ＢＤＮＦ、ＥＧＦ、ＮＴ−３、ＮＴ−４、ＲＡ、ＰＤＧＦ、Ｔ３などが挙げられる。【０１４２】  また、上記接着培養用の培養皿としては、ラミニン（ｌａｍｉｎｉｎ）、コラーゲン（ｃｏｌｌａｇｅｎ）などの細胞外基質成分がコートされた培養皿、またはポリＤリジ��コートの培養皿が好ましいが、特にこれに限定されるものではない。【０１４３】  また、上記接着培養を開始する際の上記無血清培地上へ植え付ける虹彩色素上皮細胞の細胞密度（１ｃｍ２当たりの細胞数）は、１×１０５個／ｃｍ２以下であることが好ましい。これによれば、網膜神経細胞への分化をより効率良く誘導することができる。【０１４４】  そして、上記の接着培養を開始してから１〜３日経過後に、上記培地からＦＧＦ２および／またはＦＧＦ９を除去するとともに、上記培地に因子としてＣＮＴＦを添加する。当該培地上で上記虹彩色素上皮細胞の培養を継続することによって、網膜神経細胞への分化を誘導することができる。【０１４５】  なお、上記接着培養を開始する工程において、無血清培地を用いた場合には、ＣＮＴＦを培地へ添加すると同時に血清（例えば、ＦＣＳ）を濃度１〜１０％（Ｗ／Ｖ）となるように添加してもよい。【０１４６】  なお、上記接着培養工程（Ｓ１３）における上記以外の各培養条件は、実施の形態２における接着培養工程（Ｓ１３）の培養条件と同様に実施すればよい。【０１４７】  上述のような培養条件で接着培養された細胞は、実施の形態２と同様に、従来公知の一般的神経マーカーを用いて神経細胞の検出を行うことで、ニューロン、アストロサイト、オリゴデンドロサイトといった各種神経細胞への分化が誘導されているかを確認することができる。【０１４８】  さらに、実施の形態２と同様に、例えば、網膜神経細胞に特異的形質であるマーカータンパク質の検出を各特異的抗体による染色を行うことによって、網膜神経細胞への分化が誘導され、その結果網膜神経細胞が生産されたか否かを確認することができる。また、上記マーカータンパク質の抗体染色以外に、細胞からＲＮＡを抽出し、ＲＴ−ＰＣＲ法などによりマーカー遺伝子の発現を確認することによっても、網膜神経細胞が生産されたか否かを確認することができる。【０１４９】  以上のような方法によれば、虹彩色素上皮細胞から網膜神経細胞を分化誘導することによって、網膜神経細胞を生産することができる。さらに、本実施の形態３の方法によれば、網膜神経細胞をより早く分化誘導することができるため、実施の形態２の方法と比較してより短期間で網膜神経細胞を生産することができる。
【実施例】  以下、実施例によって本発明をより具体的に説明するが、本発明はこの記載に限定されるものではない。【０１５０】  （哺乳類からの虹彩色素上皮細胞の単離）
以下に示す哺乳類、生後１０日、生後１２日および生後２ヶ月のマウス（「Ｃ５７ＢＬ６」ＳＬＣ社またはクレア社から入手）、生後９〜１２日目および生後３週令ならびに生後２ヶ月のラット（「ＤＡラット」ＳＬＣ社から入手）、生後１９週のヒト胎児（倉敷成人病センター院長より提供、当センター倫理委員会承認済）から虹彩色素上皮細胞を摘出した。【０１５１】  市販のマイクロ鋏を用いて上記の哺乳類の眼球から虹彩組織のみを切除した。該虹彩組織を３７℃のディスパーゼ溶液（「ディスパーゼ（ｄｉｓｐａｓｅ）」合同清酒社製）１０００Ｕ／ｍＬ中にて、１５〜４０分間反応させた後、室温下で０．０５％ＥＤＴＡ（ｅｔｈｙｌｅｎｅｄｉａｍｉｎｅｔｅｔｒａａｃｅｔｉｃ  ａｃｉｄ：エチレンジアミン四酢酸）溶液中にて２０〜３０分間反応させた。反応後、上記虹彩組織をウシ胎児血清を８％含む培養液（「ＤＭＥＭ培地」ｉｎｖｉｔｒｏｇｅｎ社製）中にて、３０〜６０分間反応させ、上記虹彩組織を回復させた。その後、市販のマイクロピンセットを用いて、虹彩色素上皮のみを上記虹彩組織からはがして回収することにより、虹彩基質と虹彩色素上皮とを分離した。【０１５２】  生後１０日のマウスにおいては、上記虹彩組織を３７℃の上記１０００Ｕ／ｍＬのディスパーゼ溶液により１６分間反応させ、室温下にて上記０．０５％ＥＤＴＡ溶液により２０分間反応させ、ウシ胎児血清を８％含む培養液により９０分間反応させた。【０１５３】  また、生後１２日のマウスにおいては、上記虹彩組織を３７℃の上記１０００Ｕ／ｍＬのディスパーゼ溶液により２０分間反応させ、室温下にて上記０．０５％ＥＤＴＡ溶液により２５分間反応させ、ウシ胎児血清を８％含む培養液により６０分間反応させた。【０１５４】  また、生後２ヶ月のマウスにおいては、上記虹彩組織を３７℃の上記１０００Ｕ／ｍＬのディスパーゼ溶液により３０分間反応させ、室温下にて上記０．０５％ＥＤＴＡ溶液により４０分間反応させ、ウシ胎児血清を８％含む培養液により３０分間反応させた。【０１５５】  生後１１日のラットにおいては、上記虹彩組織を上記１０００Ｕ／ｍＬのディスパーゼ溶液により２０分間反応させ、上記０．０５％ＥＤＴＡ溶液により２５分間反応させ、ウシ胎児血清を８％含む培養液により９０分間反応させた。【０１５６】  生後１９週のヒト胎児においては、上記虹彩組織を３７℃の上記１０００Ｕ／ｍＬのディスパーゼ溶液により３０分間反応させ、室温下にて上記０．０５％ＥＤＴＡ溶液により３０分間反応させ、ウシ胎児血清を８％含む培養液により６０分間反応させた。【０１５７】  （鳥類からの虹彩色素上皮細胞の単離）
以下に示す鳥類、生後１〜２日のヒヨコ（ニワトリの雛）（グローバルチック社（岐阜県）から入手）から虹彩色素上皮細胞を摘出した。摘出の基本的な方法は、上述の哺乳類の場合と同様にして行った。【０１５８】  生後２日のヒヨコにおいては、上記虹彩組織を３７℃の上記１０００Ｕ／ｍＬのディスパーゼ溶液により３０分間反応させ、上記０．０５％ＥＤＴＡ溶液により３０分間反応させ、ウシ胎児血清を８％含む培養液により５分間反応させた。なお、ウシ胎児血清による反応処理については、省略してもよい。【０１５９】  （浮遊凝集塊培養法）
上記単離した哺乳類あるいは鳥類の虹彩色素上皮組織は、市販のトリプシン溶液を用いて細胞に解離した。その後、該解離した虹彩色素上皮細胞を、上記参考文献３に記載のｎｅｕｒｏｓｐｈｅｒｅ法（浮遊凝集塊培養法）によって、選択的に培養した。浮遊凝集塊培養の培地には、無血清培地（「ＤＭＥＭ／Ｆ１２培地」ｉｎｖｉｔｒｏｇｅｎ社製）に、ｉｎｖｉｔｒｏｇｅｎ社製のＮ２サプリメントを１／１００量加えたものを使用した。トリプシン処理した上記虹彩色素上皮細胞を、上記の浮遊凝集塊培養液中にて、市販のシェイカーを用いて回転を加えながら培養することにより、脳または脊髄由来の神経幹細胞が形成する凝集塊（ｓｐｈｅｒｅ）と非常に類似した凝集塊を得ることができた（図６参照）。【０１６０】  （共培養による虹彩色素上皮細胞から網膜神経細胞への分化誘導）
参考文献４に記載された方法に従って、ニワトリの胚性網膜幹細胞を巻き込む際に、マウスの眼球より上述の方法によって単離し解離した虹彩色素上皮細胞（虹彩組織由来の神経幹細胞）を一緒に巻き込んだ。【０１６１】  具体的には、マウス虹彩の単離、および、虹彩色素上皮細胞の培養は、上述の手順に従って行った。培養日数３〜６日後に、ディスパーゼ、トリプシン混合液で細胞を解離した。解離した虹彩色素上皮細胞をニワトリ胚性網膜幹細胞と同時にインナーウエル２内に巻き込み、旋回培養を行った（図２参照）。【０１６２】  １４日間の培養の後、培養細胞を採取した。【０１６３】  続いて、上記培養細胞について、各網膜神経細胞に特異的なマーカータンパク質の抗体染色を行うことによって、網膜神経細胞への分化が誘導されているかを確認した。その結果、図４（ａ）、図４（ｂ）に示すように、上記の培養細胞からは、光受容機能を発揮するための極めて特異的なタンパク質であるロドプシン（図４（ａ）において矢印を付して示す箇所）、およびミュラーグリア細胞に特異的なタンパク質であるビメンチン（図４（ｂ）中の白色の領域）が検出された。ロドプシンは、網膜視細胞が光受容機能を発揮するために必要なタンパク質であり、網膜視細胞を形成するロッドにおいて特異的に発現するものである。【０１６４】  上記の培養細胞において、ロドプシンが検出されたことから、該培養細胞は、網膜神経細胞（より具体的には、網膜視細胞）に分化誘導されたことが裏付けられた。また、上記の培養細胞において、ビメンチンが検出されたことから、該培養細胞は、網膜神経細胞（より具体的には、ミュラーグリア細胞）にも分化誘導されたことが裏付けられた。【０１６５】  （接着培養による網膜神経細胞への分化誘導の実施例１）
本実施例１では、無血清培地上で虹彩色素上皮細胞を接着培養した場合の網膜神経細胞への分化誘導実験について説明する。【０１６６】  上述の方法によって単離し解離したヒヨコの虹彩色素上皮細胞を、ラミニンコート皿に巻き込んだ。培養液として、ＤＭＥＭ／Ｆ１２培地に、Ｎ２サプリメント、成長因子ＦＧＦ２（２０ｎｇ／ｍｌ）を添加したものを用いた。なお、このときの虹彩色素上皮細胞の細胞密度は、３．２×１０４個／ｃｍ２であった。また、本実施例では、成長因子ＦＧＦ２を用いたが、ＦＧＦ２の代わりにＦＧＦ９を用いて実施しても構わない。【０１６７】  培養開始から４〜５日以降は、ＦＧＦ２の添加を停止し、さらに、２〜７日培養を継続したところ、神経細胞様に形態が変化することが確認された。【０１６８】  約２週間の無血清培養の後、培養細胞を採取し、一般的神経マーカーであるチューブリン（あるいは、ニューロフィラメント）、ＧＦＡＰ、Ｏ４を用いて、神経細胞の検出行った。その結果、上記の各神経マーカーが検出されたため、上記培養細胞は、神経細胞（具体的には、ニューロン、アストロサイト、オリゴデンドロサイト）へ分化誘導されたことが確認された。【０１６９】  続いて、上記培養細胞について、各網膜神経細胞に特異的なマーカータンパク質の抗体染色を行うことによって、網膜神経細胞への分化が誘導されているかを確認した。その結果、図５（ａ）〜図５（ｃ）に示すように、上記の培養細胞からは、ロドプシン（図５（ａ）中の白色の領域）、ヨードプシン（図５（ｂ）中の白色の領域）、ＰＫＣ（図５（ｃ）中の白色の領域）がそれぞれ検出された。ロドプシンおよびヨードプシンは、網膜視細胞において特異的に発現するものである。また、ＰＫＣは双極細胞において特異的に発現するものである。【０１７０】  上記の培養細胞において、ロドプシンおよびヨードプシン、ＰＫＣがそれぞれ検出されたことから、該培養細胞は、網膜神経系細胞である網膜視細胞、双極細胞にそれぞれ分化誘導されたことが裏付けられた。【０１７１】  なお、本実施例においては、網膜神経細胞を検出するためのマーカーとしてロドプシンおよびヨードプシン、ＰＫＣを用いて行ったことから、網膜視細胞、双極細胞の誘導が確認されたが、上記培養細胞には他の網膜神経細胞も含まれている可能性がある。【０１７２】  （接着培養による網膜神経細胞への分化誘導の実施例２）
本実施例２では、血清を含む培地上で虹彩色素上皮細胞を接着培養した場合の網膜神経細胞への分化誘導実験について説明する。【０１７３】  上述の方法によって単離し解離したヒヨコの虹彩色素上皮細胞を、ラミニンコート皿に巻き込んだ。培養液として、ＤＭＥＭ／Ｆ１２培地に、Ｎ２サプリメント、成長因子ＦＧＦ２（２０ｎｇ／ｍｌ）、および、ウシ胎児血清（ＦＣＳ）（１％（Ｗ／Ｖ））を添加したものを用いた。なお、このときの虹彩色素上皮細胞の細胞密度は、３．２×１０４個／ｃｍ２であった。また、本実施例では、成長因子ＦＧＦ２を用いたが、ＦＧＦ２の代わりにＦＧＦ９を用いて実施しても構わない。【０１７４】  培養開始から１〜３日以降は、培地にＦＧＦ２の添加を停止するとともにＣＮＴＦ（１０〜３０ｎｇ／ｍｌ）を添加し、さらに、２〜７日培養を継続したところ、神経細胞様に形態が変化することが確認された。【０１７５】  約１週間の無血清培養の後、培養細胞を採取し、一般的神経マーカーであるチューブリン（あるいは、ニューロフィラメント）、ＧＦＡＰ、Ｏ４を用いて、神経細胞の検出行った。その結果、上記の各神経マーカーが検出されたため、上記培養細胞は、神経細胞（具体的には、ニューロン、アストロサイト、オリゴデンドロサイト）へ分化誘導されたことが確認された。【０１７６】  続いて、上記培養細胞について、各網膜神経細胞に特異的なマーカータンパク質の抗体染色を行うことによって、網膜神経細胞への分化が誘導されているかを確認した。その結果、図７（ａ）〜図７（ｃ）に示すように、上記の培養細胞からは、ロドプシン（図７（ａ）中の白色の領域）、ヨードプシン（図７（ｂ）中の白色の領域）、ＨＰＣ−１（図７（ｃ）中の白色の領域）がそれぞれ検出された。ロドプシンおよびヨードプシンは、網膜視細胞において特異的に発現するものである。また、ＨＰＣ−１はアマクリン細胞において特異的に発現するものである。【０１７７】  上記の培養細胞において、ロドプシンおよびヨードプシン、ＨＰＣ−１がそれぞれ検出されたことから、該培養細胞は、網膜神経系細胞である網膜視細胞、アマクリン細胞にそれぞれ分化誘導されたことが裏付けられた。【０１７８】  また、この実施例２では、幼若マウスの虹彩色素上皮細胞についても、上述の方法によって単離し解離した後、ヒヨコの場合と同様にして分化誘導実験を行った。この実験によって得られた培養細胞について、各網膜神経マーカー（ＰＫＣ、ＨＰＣ−１、ロドプシン）を用いて各種細胞の検出を行った。その結果を以下の表１に示す。【０１７９】
0004389087.tif 000002
表１に示すように、培養細胞において、ＰＫＣ、ＨＰＣ−１、ロドプシンが検出された。このことから、培養細胞は、網膜神経系細胞である、双極細胞、アマクリン細胞、網膜視細胞にそれぞれ分化誘導されたことが裏付けられた。【０１８０】  尚、発明を実施するための最良の形態の項においてなした具体的な実施態様または実施例は、あくまでも、本発明の技術内容を明らかにするものであって、そのような具体例にのみ限定して狭義に解釈されるべきものではなく、本発明の精神と次に記載する特許請求の範囲内で、いろいろと変更して実施することができるものである。
産業上の利用の可能性【０１８１】  以上のように、本発明の方法によれば、従来有効な分化誘導方法見出されていなかった哺乳類の網膜神経細胞を生産することができる。哺乳類には、ヒトをはじめとして利用価値の高い動物種が多く存在するため、哺乳類の網膜神経細胞を生産することができる本方法は、医療やバイオテクノロジー等の分野の発展に貢献することが期待される。【０１８２】  本発明の網膜神経細胞は、患者本人からその細胞の一部を採取することが可能な虹彩色素上皮細胞から生産されたものであるため、患者自身の細胞を用いた再生医療を実現することを可能とするものである。そして、免疫拒絶の問題、倫理的問題、移植材料である移植細胞源の受容と供給のアンバランスなどといった再生医療の問題点を克服することができ、現在有効な治療法が存在しない網膜変性疾患のための治療方法の確立に貢献するものと期待される。【０１８３】  また、本発明の網膜神経細胞は、遺伝子の導入を行うことなく分化誘導されたものであるため、ＤＮＡ損傷などの危険性がなく、医療面に用いる場合に安全性を確保することができる。
【図１】
0004389087.tif 000003
【図２】
0004389087.tif 000004
【図３】
0004389087.tif 000005
0004389087.tif 000006
0004389087.tif 000007
【図６】
0004389087.tif 000008
0004389087.tif 000009